(57)【要約】【課題】  応答履歴と不応答履歴の全てを一括で表示できるようにすると共に、自内線電話機に他の内線電話機の応答履歴も表示できるようにする。【解決手段】  外線着信があったときに該着信の発信者情報および該着信に応じた時刻情報ならびに該着信に応答した応答電話機情報を順次記憶する着信履歴記憶手段Ｆ３５と、自己内線電話機の応答履歴を表示する自己応答履歴判定手段Ｆ３７／自己着信履歴表示制御手段Ｆ３８と、不応答履歴を表示する不応答履歴判定手段Ｆ３９／不応答着信履歴表示制御手段Ｆ４０と、他の内線電話機の応答履歴を表示する他応答履歴判定手段Ｆ４１／他応答着信履歴表示制御手段Ｆ４２と、全ての着信履歴を表示する全着信履歴表示制御手段Ｆ４３を備えた。【選択図】      図２
2006025318.tif 000002
【特許請求の範囲】
【請求項１】
１以上の外線および複数の内線を収容する構内電話交換装置と、前記内線に接続される電話装置とからなる構内電話設備における着信履歴表示方法であって、
前記構内電話交換装置は、着信履歴記憶手段を有し、
前記外線に着信があったときに該外線着信の発信者情報および該外線着信に応じた時刻情報ならびに該外線着信に前記電話装置が応答したときには応答電話装置情報を前記着信履歴記憶手段に順次記憶する着信履歴記憶処理と、
前記電話装置による自己の応答履歴を表示する表示要求操作を検出すると前記着信履歴記憶手段に記憶されている応答電話装置情報と自己電話装置情報が一致するか否かを判定する自己応答履歴判定処理と、前記自己応答履歴判定処理が一致したと判定したときに対応する発信者情報および時刻情報を順次表示する自己着信履歴表示制御処理と、
前記電話装置による自己以外の電話装置の応答履歴を表示する表示要求操作を検出すると前記着信履歴記憶手段に記憶されている応答電話装置情報と自己以外の電話装置情報が一致するか否かを判定する他応答履歴判定処理と、前記他応答履歴判定処理が一致したと判定したときに対応する発信者情報および時刻情報を順次表示する他応答着信履歴表示制御処理を有することを特徴とする着信履歴表示方法。
【請求項２】
請求項１記載の着信履歴表示方法であって、
前記電話装置による不応答履歴を表示する表示要求操作を検出すると前記着信履歴記憶手段に応答電話装置情報が記憶されているか否かを判定する不応答履歴判定処理と、前記不応答履歴判定処理が応答電話装置情報は記憶されていないと判定したときに対応する発信者情報および時刻情報を順次表示する不応答着信履歴表示制御処理を有することを特徴とする着信履歴表示方法。
【請求項３】
請求項１または２記載の着信履歴表示方法であって、
前記電話装置による全ての着信履歴を表示する表示要求操作を検出すると前記着信履歴記憶手段に記憶されている発信者情報および時刻情報ならびに記憶されている場合には応答電話装置情報を順次表示する全着信履歴表示制御処理を有することを特徴とする着信履歴表示方法。
【請求項４】
１以上の外線および複数の内線を収容するボタン電話主装置と、前記内線に接続されるボタン電話機とからなるボタン電話装置において、
前記外線に着信があったときに該外線着信の発信者情報および該外線着信に応じた時刻情報ならびに該外線着信に前記ボタン電話機が応答したときには応答ボタン電話機情報を順次記憶する着信履歴記憶手段と、
前記ボタン電話機による自己の応答履歴を表示する表示要求操作を検出すると前記着信履歴記憶手段に記憶されている応答ボタン電話機情報と自己ボタン電話機情報が一致するか否かを判定する自己応答履歴判定手段と、前記自己応答履歴判定手段が一致したと判定したときに対応する発信者情報および時刻情報を順次表示する自己着信履歴表示制御手段と、
前記ボタン電話機による自己以外のボタン電話機の応答履歴を表示する表示要求操作を検出すると前記着信履歴記憶手段に記憶されている応答ボタン電話機情報と自己以外のボタン電話機情報が一致するか否かを判定する他応答履歴判定手段と、前記他応答履歴判定手段が一致したと判定したときに対応する発信者情報および時刻情報を順次表示する他応答着信履歴表示手段を備えたことを特徴とするボタン電話装置。
【請求項５】
請求項４記載のボタン電話装置において、
前記ボタン電話機による不応答履歴を表示する表示要求操作を検出すると前記着信履歴記憶手段に応答ボタン電話機情報が記憶されているか否かを判定する不応答履歴判定手段と、前記不応答履歴判定手段が応答ボタン電話機情報は記憶されていないと判定したときに対応する発信者情報および時刻情報を順次表示する不応答着信履歴表示制御手段を備えたことを特徴とするボタン電話装置。
【請求項６】
請求項４または５記載のボタン電話装置において、
前記ボタン電話機による全ての着信履歴を表示する表示要求操作を検出すると前記着信履歴記憶手段に記憶されている発信者情報および時刻情報ならびに記憶されている場合には応答ボタン電話機情報を順次表示する全着信履歴表示制御手段を備えたことを特徴とするボタン電話装置。
【発明の詳細な説明】
【技術分野】
【０００１】
本発明は、構内電話設備において、着信があった場合にその着信履歴を表示する着信履歴表示方法および着信履歴表示機能を備えたボタン電話装置に関する。
【背景技術】
【０００２】
従来より、家庭や事業所等で使用される電話装置には、着信履歴を記憶および表示する機能を備えたものがある。着信履歴とは、着信の有無ならびにそれらのあった日付および時刻等の情報のことであり、電話装置の利用状況を知るために利用される。
【０００３】
電話装置のうち、デジタル交換機に収容された無線電話装置に関しては、デジタル交換機からの当該無線電話装置への着信時、当該着信呼に「応答しなかった場合」に、デジタル交換機から送出される発信者情報と、当該無線電話装置内部で生成される当該着信呼の発生した時間情報をペアとして記憶し、特定のキー（ボタン）操作により、記憶しているペア情報（発信者情報および着信呼の発生した時間情報）を順次表示することが開示されている（例えば、特許文献１参照）。
【０００４】
また、電話装置のうち、電話機において、着信した発信者の電話番号または該電話番号に対応する名称を記憶しておき、記憶されている電話番号または該電話番号に対応する名称を入力することで選択し、「選択した発信者」の着信履歴を表示することが開示されている（例えば、特許文献２参照）。
【０００５】
しかし、いずれも単独で使用される電話装置を前提とした内容であって、事業所等で使用される構内電話設備（以下、電話システムまたはボタン電話装置ともいう。）を構成する構内電話交換装置（以下、ＰＢＸまたはボタン電話主装置ともいう。）と、その内線に収容される電話装置（以下、内線電話機またはボタン電話機ともいう。）へ適用する場合については、まったく開示されていないという問題がある。
【０００６】
すなわち、従来の電話システムでは、外線着信呼に関して通常は複数の内線電話機に着信表示し、その中の１つの内線電話機が外線着信呼に応答した場合は、応答した内線電話機が特定できるので対応内線電話機毎に着信情報（発信者番号、着信時刻等の情報）を着信履歴（以下、応答履歴という。）として記憶し表示できるようにし、内線電話機が外線着信呼に応答しなかった場合には、内線電話機を特定できないため、該着信情報をＰＢＸ共通の着信履歴（以下、不応答履歴という。）として記憶し表示できるようにしている。
【０００７】
このため、内線電話機毎の着信履歴記憶部（応答履歴）と、ＰＢＸ共通の着信履歴記憶部（不応答履歴）の両方が必要になると共に、応答履歴と不応答履歴の全てを一括で表示させることができない問題があった。また、他の内線電話機の応答履歴を見たい場合には、当該他の内線電話機の設置場所に行き、当該他の内線電話機を操作して応答履歴を表示する必要があった。
【特許文献１】特開平４−１２０９２２号公報
【特許文献２】特開２００１−１１１６７８号公報
【発明の開示】
【発明が解決しようとする課題】
【０００８】
解決しようとする問題点は、応答履歴と不応答履歴の全てを一括で表示できるようにすると共に、自内線電話機に他の内線電話機の応答履歴も表示できるようにすることである。
【課題を解決するための手段】
【０００９】
上記課題を解決するために、本発明は、１以上の外線および複数の内線を収容する構内電話交換装置と、前記内線に接続される電話装置とからなる構内電話設備において、
前記外線に着信があったときに該外線着信の発信者情報および該外線着信に応じた時刻情報ならびに該外線着信に前記電話装置が応答したときには応答電話装置情報を順次記憶する着信履歴記憶手段と、
前記電話装置による自己の応答履歴を表示する表示要求操作を検出すると前記着信履歴記憶手段に記憶されている応答電話装置情報と自己電話装置情報が一致するか否かを判定する自己応答履歴判定手段と、
前記自己応答履歴判定手段が一致したと判定したときに対応する発信者情報および時刻情報を順次表示する自己着信履歴表示制御手段と、
前記電話装置による不応答履歴を表示する表示要求操作を検出すると前記着信履歴記憶手段に応答電話装置情報が記憶されているか否かを判定する不応答履歴判定手段と、
前記不応答履歴判定手段が応答電話装置情報は記憶されていないと判定したときに対応する発信者情報および時刻情報を順次表示する不応答着信履歴表示制御手段と、
前記電話装置による自己以外の電話装置の応答履歴を表示する表示要求操作を検出すると前記着信履歴記憶手段に記憶されている応答電話装置情報と自己以外の電話装置情報が一致するか否かを判定する他応答履歴判定手段と、
前記他応答履歴判定手段が一致したと判定したときに対応する発信者情報および時刻情報を順次表示する他応答着信履歴表示制御手段を備えた。
【００１０】
また、本発明は、前記電話装置による全ての着信履歴を表示する表示要求操作を検出すると前記着信履歴記憶手段に記憶されている発信者情報および時刻情報ならびに記憶されている場合には応答電話装置情報を順次表示する全着信履歴表示制御手段を備えた。
【発明の効果】
【００１１】
本発明によれば、外線着信があったとき、着信履歴記憶部に該外線着信の発信者情報および時刻情報を記憶すると共に、内線電話機が該外線着信に応答した場合には応答内線電話機情報（内線番号情報または内線収容位置情報）を記憶（該外線着信にいずれの内線電話機も応答しなかったときには応答内線電話機情報は記憶しない。）し、それを外線着信が発生する毎に順次一括で記憶していくことにより、応答履歴と不応答履歴に分割して記憶する必要がなくなり応答履歴（他内線電話機の応答履歴を含む。）と不応答履歴の全てを表示できるようになる。
【００１２】
また、本発明によれば、着信履歴を表示するときには、内線電話機の操作により、
Ａ：自己内線電話機の応答履歴を表示、
Ｂ：不応答履歴を表示、
Ｃ：他内線電話機の応答履歴を表示、
Ｄ：全ての着信履歴を表示、
のいずれかの表示方法を選択することができ、利用者の様々な運用方法に対応できる著しい効果がある。
【発明を実施するための最良の形態】
【００１３】
以下、本発明の実施形態の一例について説明する。なお、以下の実施形態では、ボタン電話装置としてボタン電話主装置と該ボタン電話主装置に接続された有線式ボタン電話機を例にあげて説明する。しかし、本発明はこれに限定されない。例えば、有線式ボタン電話機の代わりに無線式ボタン電話機を用いることができる。また、本発明は、ボタン電話装置で実施するだけでなく、ボタン電話機を収容する構内交換機で実施しても良い。
【００１４】
なお、本明細書においては、構内電話交換装置とは、ＰＢＸ（構内電話交換機）またはボタン電話主装置もしくはＩＰ電話におけるサーバなどをいい、電話装置とは、内線電話機またはボタン電話機もしくはＩＰ電話機などをいい、構内電話設備とは、構内電話交換システムまたはボタン電話装置もしくはＩＰ電話システムなどをいう。
【００１５】
図１は、本発明に係るボタン電話装置を構成するボタン電話主装置１０と、ボタン電話機２０の構成概略図である。図２は、本発明に係るボタン電話主装置１０の中央制御部１１と、記憶部１６の機能ブロック図である。図３は、本発明に係るボタン電話主装置１０の記憶部１６内の着信履歴記憶手段への着信履歴の記憶処理のフローチャートである。図４は、本発明に係るボタン電話主装置１０の中央制御部１１内の自己応答履歴判定手段と自己着信履歴表示制御手段における処理のフローチャートである。図５は、本発明に係るボタン電話主装置１０の中央制御部１１内の不応答履歴判定手段と不応答着信履歴表示制御手段における処理のフローチャートである。図６は、本発明に係るボタン電話主装置１０の中央制御部１１内の他応答履歴判定手段と他応答着信履歴表示制御手段における処理のフローチャートである。図７は、本発明に係るボタン電話主装置１０の中央制御部１１内の全着信履歴表示制御手段における処理のフローチャートである。
【００１６】
まず、図１を用いてボタン電話装置を構成するボタン電話主装置１０と、ボタン電話機２０の構成の概要を説明する。ボタン電話装置は、１以上の外線および複数の内線を収容するボタン電話主装置１０と、該ボタン電話主装置１０に接続された複数のボタン電話機２０−１〜２０−ｎから構成される。
【００１７】
ボタン電話主装置１０は、少なくとも、中央制御部１１と、通話路スイッチ１２と、１以上の外線回路１３−１〜１３−ｎと、リアルタイムクロック１４と、複数の内線回路１５−１〜１５−ｎと、記憶部１６を有して構成される。
【００１８】
中央制御部１１は、ボタン電話主装置１０の各回路からの入力情報（ボタン電話機２０からの情報も含む）に対する解析や判断、記憶部１６に対する情報の入出力、各回路の制御を行う。
【００１９】
通話路スイッチ１２は、ボタン電話主装置１０内の交換処理（外線と内線の接続、他）を行う。
【００２０】
外線回路１３−１〜１３−ｎは、外線に接続されるインタフェース回路である。なお、本発明で開示している外線とは、一般公衆回線、ＩＰ電話事業者の回線、専用線、私設線、携帯電話等の無線使用回線（無線／有線変換アダプタ使用）、等も含まれる。
【００２１】
リアイルタイムクロック１４は、いわゆる時刻回路であり、中央制御部１１よりの時刻出力要求を受け、現時点の年月日時刻を出力する回路である。なお、本実施例では時刻回路として説明するが、中央制御部１１内のプログラム処理により時刻情報を処理すれば、本回路を別途設ける必要はないことは自明である。
【００２２】
内線回路１５−１〜１５−ｎは、ボタン電話機２０−１〜２０−ｎと音声データ、制御データの通信を行うためのインタフェース回路である。
【００２３】
記憶部１６は、通常の記憶部としての働きの他に、着信履歴記憶手段として外線着信の発信者情報および該外線着信に応じた時刻情報ならびに該外線着信に応答したボタン電話機２０の情報（応答電話機情報）が記憶される。
【００２４】
また、ボタン電話機２０は、少なくとも、制御部２１と、データ送受信回路２２と、音声処理部２３と、送受話器２４と、スピーカ２５と、ダイヤルキー２６と、外線キー２７と、機能キー２８と、ＬＣＤ表示器２９を有して構成される。
【００２５】
制御部２１は、ボタン電話機２０内の各回路からの入力情報に対する解析や判断、各回路の制御を行う。
【００２６】
データ送受信回路２２は、内線を介してボタン電話主装置１０と音声データ、制御データの通信を行うためのインタフェース回路である。
【００２７】
音声処理部２３は、音声のデジタル／アナログ変換、アナログ／デジタル変換と、ボタン電話機２０内の送受話器２４やスピーカ２５等との通話路切替および音量を制御する。また、外線着信等の可聴音を生成する回路も有する。
【００２８】
送受話器２４は、一般的な通話時の送話、受話を行うためのハンドセットである。
【００２９】
スピーカ２５は、外線着信音の送出や、拡声受話の聴取等に使用する。
【００３０】
ダイヤルキー２６は、電話番号を入力する手段であり、また、各種設定の入力手段としても用いられる。本実施例では、他ボタン電話機の応答履歴を表示するとき、他ボタン電話機の内線番号指定手段としても使用される。
【００３１】
外線キー２７は、複数ある外線から使用したい外線を選択するための複数のボタンである。
【００３２】
機能キー２８は、ボタン電話装置で一般的に使用する“保留”ボタン、“拡声受話”ボタン、“設定”ボタン、および着信履歴の表示要求操作に使用する、
Ａ：自己の応答履歴を表示する表示要求操作に使用する“マイ着信履歴”ボタン、
Ｂ：不応答履歴を表示する表示要求操作に使用する“不応答履歴”ボタン、
Ｃ：他ボタン電話機の応答履歴を表示する表示要求操作に使用する“他ＴＥＬ履歴”ボタン、
Ｄ：全ての着信履歴を表示する表示要求操作に使用する“全着信履歴”ボタン、
等により構成される（各ボタンは図示していない）。
【００３３】
なお、Ｃ：他ボタン電話機の応答履歴を表示する表示要求操作に使用する“他ＴＥＬ履歴”ボタンを押下した後は、ダイヤルキー２６を操作し、他ボタン電話機の内線番号を入力することにより、他ボタン電話機を特定する。また、前述したＡ：ないしＤ：は、各ボタン電話機に全て設ける必要はなく、当該ボタン電話機を使用する利用者の好みにより、Ａ：のみを設けたり、あるいはＡ：とＢ：の２つを設けたり、その組み合わせは自由に行って良い。
【００３４】
また、本実施例では、表示要求操作を前述したＡ：ないしＤ：のように独立したボタンを使用することで説明しているが、他の実施形態、例えば、ＬＣＤ表示器２９にメニュー表示として、Ａ：ないしＤ：を４行分表示しておき、その各行について上下を指定するキー（いわゆるスクロールキー）で選択し、決定する構成としても良い。
【００３５】
ＬＣＤ表示器２９は、電話番号、通話時間等を表示する。また、前述した着信履歴の表示要求操作に基づき、前述したＡ：ないしＤ：の各着信履歴を表示する。
【００３６】
次に、本発明に係るボタン電話主装置１０の中央制御部１１と記憶部１６の機能構成を、図２を用いて説明する。ボタン電話主装置１０は、中央制御部１１が、少なくとも、外線回路制御手段Ｆ３０と、時刻取得手段Ｆ３１と、通話路制御手段Ｆ３２と、データ送受信手段Ｆ３３と、外線着信制御手段Ｆ３４と、受信分析手段Ｆ３６と、自己応答履歴判定手段Ｆ３７と、自己着信履歴表示制御手段Ｆ３８と、不応答履歴判定手段Ｆ３９と、不応答着信履歴表示制御手段Ｆ４０と、他応答履歴判定手段Ｆ４１と、他応答着信履歴表示制御手段Ｆ４２と、全着信履歴表示制御手段Ｆ４３とを有し、記憶部１６に着信履歴記憶手段Ｆ３５を有して構成される。
【００３７】
外線回路制御手段Ｆ３０は、外線発信、外線着信の制御を行い、外線着信を検出すると外線着信制御手段Ｆ３４へ外線着信と当該外線着信の発信者情報（発信者電話番号および発信者名称）を通知する。また、当該外線着信の途中放棄（応答がないため発信者が着信を取りやめたこと）を外線着信制御手段Ｆ３４へ通知する。さらに、外線回路制御手段Ｆ３０は、外線着信制御手段Ｆ３４より外線着信応答の通知を受けると、外線回路１３を応答・通話状態にする指示を出す機能を有している。
【００３８】
時刻取得手段Ｆ３１は、リアルタイムクロック１４を制御し現時点の年月日時刻を取得し、外線着信制御手段Ｆ３４へ時刻情報を通知する機能を有している。
【００３９】
通話路制御手段Ｆ３２は、外線着信制御手段Ｆ３４よりの通知で、外線着信応答したボタン電話機２０に対応する内線回路１５と外線回路１３間の通話路を接続する指示を通話路スイッチ１２へ出す機能を有している。
【００４０】
データ送受信手段Ｆ３３は、ボタン電話機２０より内線回路１５を経由して受信したデータを受信分析手段Ｆ３６へ通知する。また、データ送受信手段Ｆ３３は、外線着信制御手段Ｆ３４より通知された外線着信と当該外線着信の発信者情報を通知されたボタン電話機２０のスピーカ２５への外線着信音の送出情報と、ＬＣＤ表示器２９への発信者情報の可視表示情報と、外線キー２７に付随しているＬＥＤ表示器（図示していない。）への外線着信可視表示情報を内線回路１５経由でボタン電話機２０へ送出する機能を有している。
【００４１】
また、データ送受信手段Ｆ３３は、自己着信履歴表示制御手段Ｆ３８、不応答着信履歴表示制御手段Ｆ４０、他応答着信履歴表示制御手段Ｆ４２、および全着信履歴表示制御手段Ｆ４３より通知された着信履歴表示情報をボタン電話機２０のＬＣＤ表示器２９への着信履歴表示の可視表示情報を内線回路１５経由でボタン電話機２０へ送出する機能を有している。
【００４２】
外線着信制御手段Ｆ３４は、外線回路制御手段Ｆ３０より外線着信と当該外線着信の発信者情報（発信者電話番号または発信者名称もしくは発信番号非通知理由（ユーザ拒否、公衆電話発信、他））の通知を受けると、当該外線に対して予め設定してある（図示していない。）１以上の着信先ボタン電話機２０に対し外線着信と、当該外線着信の発信者情報を通知されたボタン電話機２０のスピーカ２５への外線着信音の送出情報と、ＬＣＤ表示器２９への発信者情報の可視表示情報と、外線キー２７に付随しているＬＥＤ表示器（図示していない。）への外線着信可視表示情報を送出することをデータ送受信手段Ｆ３３へ通知する機能を有している。
【００４３】
また、外線着信制御手段Ｆ３４は、外線回路制御手段Ｆ３０より当該外線着信の途中放棄の通知を受けると、前述した着信先ボタン電話機２０に対し外線着信音の停止および発信者情報の可視表示の停止および外線着信可視表示の停止をデータ送受信手段Ｆ３３へ通知すると共に、記憶部１６の着信履歴記憶手段Ｆ３５へ時刻取得手段Ｆ３１より通知された時刻情報と当該外線着信の発信者情報を順次記憶させる機能を有している。なお、このときは不応答履歴になり着信履歴記憶手段Ｆ３５には応答電話機情報は記憶されない。
【００４４】
さらに、外線着信制御手段Ｆ３４は、受信分析手段Ｆ３６より外線着信応答の通知を受けると、外線回路制御手段Ｆ３０へ外線着信応答を通知し、通話路制御手段Ｆ３２へ外線着信応答したボタン電話機に対応する内線回路１５と該外線回路１３間の通話路接続を通知し、前述した着信先ボタン電話機２０に対し外線着信音の停止および発信者情報の可視表示の停止および外線着信可視表示の停止をデータ送受信手段Ｆ３３へ通知すると共に、記憶部１６の着信履歴記憶手段Ｆ３５へ時刻取得手段Ｆ３１より通知された時刻情報と当該外線着信の発信者情報と外線着信応答したボタン電話機２０の応答電話機情報（内線電話番号）を順次記憶させる機能を有している。なお、この状態では外線通話中に移行するため、ボタン電話機２０へ外線通話中表示等の通知を行う必要があるが、公知であるため説明は省略する。
【００４５】
また、着信履歴記憶手段Ｆ３５への時刻情報と応答電話機情報の記憶（応答履歴の場合）に関し、本実施例では、外線着信応答の時点で説明しているが、ボタン電話装置では外線着信応答し、当該外線通話を他のボタン電話機に転送することがあるため、当該外線通話を終了した時点で、時刻情報と応答電話機情報を記憶するようにしても良い。
【００４６】
着信履歴記憶手段Ｆ３５は、外線着信制御手段Ｆ３４より着信履歴情報として、応答電話機情報、発信者情報、時刻情報が記憶される。記憶されている着信履歴情報は、自己応答履歴判定手段Ｆ３７、自己着信履歴表示制御手段Ｆ３８、不応答履歴判定手段Ｆ３９、不応答着信履歴表示制御手段Ｆ４０、他応答履歴判定手段Ｆ４１、他応答着信履歴表示制御手段Ｆ４２、全着信履歴表示制御手段Ｆ４３より参照される。また、記憶領域として、１〜ｎ（ｎは内線数見合いで任意に設定して良い、内線数が１０台程度であればｎ＝５００件程度が目安となる。）を確保している。
【００４７】
受信分析手段Ｆ３６は、データ送受信手段Ｆ３３より通知されたボタン電話機２０よりの受信データを分析し、当該外線着信に対し、いずれかのボタン電話機２０が応答操作を行ったことを検出すると外線着信制御手段Ｆ３４へ外線着信応答を通知する。また、ボタン電話機が“マイ着信履歴”ボタンを押したことを検出すると自己応答履歴判定手段Ｆ３７へマイ着信履歴を通知し、ボタン電話機２０が“不応答履歴”ボタンを押したことを検出すると不応答履歴判定手段Ｆ３９へ不応答履歴を通知し、ボタン電話機２０が“他ＴＥＬ履歴”ボタンを押し引き続き指定したい内線番号を押したことを検出すると他応答履歴判定手段Ｆ４１へ他ＴＥＬ履歴を通知し、ボタン電話機２０が“全着信履歴”ボタンを押したことを検出すると全着信履歴表示制御手段Ｆ４３へ全着信履歴を通知する機能を有している。
【００４８】
自己応答履歴判定手段Ｆ３７は、受信分析手段Ｆ３６よりマイ着信履歴の通知を受けると記憶部１６の着信履歴記憶手段Ｆ３５を参照し、応答電話機情報（内線電話番号）が、マイ着信履歴の操作を行ったボタン電話機２０の内線電話番号と一致するかの判定を行い、一致した場合は自己着信履歴表示制御手段Ｆ３８へ通知する。応答電話機情報が記憶されていない場合、および応答電話機情報が一致しない場合は、次の記憶領域について同様の処理を行う。なお、一致した件数が既定値（例えば、２０件）に達した場合には処理を終了する。
【００４９】
自己着信履歴表示制御手段Ｆ３８は、自己応答履歴判定手段Ｆ３７より一致の通知を受けると、対応する発信者情報と時刻情報を記憶部１６の着信履歴記憶手段Ｆ３５より読み取り着信履歴表示情報に編集し、データ送受信手段Ｆ３３へマイ着信履歴の操作を行ったボタン電話機２０のＬＣＤ表示器２９へ着信履歴表示の可視表示情報の送出を通知する。
【００５０】
不応答履歴判定手段Ｆ３９は、受信分析手段Ｆ３６より不応答履歴の通知を受けると記憶部１６の着信履歴記憶手段Ｆ３５を参照し、応答電話機情報（内線電話番号）が記憶されているかを判定し、記憶されていない場合は不応答履歴と認識し、不応答着信履歴表示制御手段Ｆ４０へ通知する。応答電話機情報が記憶されている場合は、次の記憶領域について同様の処理を行う。なお、一致した件数が既定値（例えば、４０件）に達した場合には処理を終了する。
【００５１】
不応答着信履歴表示制御手段Ｆ４０は、不応答履歴判定手段Ｆ３９より不応答履歴の通知を受けると、対応する発信者情報と時刻情報を記憶部１６の着信履歴記憶手段Ｆ３５より読み取り、着信履歴表示情報に編集しデータ送受信手段Ｆ３３へ不応答履歴の操作を行ったボタン電話機２０のＬＣＤ表示器２９へ着信履歴表示の可視表示情報の送出を通知する。
【００５２】
他応答履歴判定手段Ｆ４１は、受信分析手段Ｆ３６より他ＴＥＬ履歴の通知を受けると記憶部１６の着信履歴記憶手段Ｆ３５を参照し、応答電話機情報（内線電話番号）が、他ＴＥＬ履歴で指定されたボタン電話機２０の内線電話番号と一致するかの判定を行い、一致した場合は他応答着信履歴表示制御手段Ｆ４２へ通知する。応答電話機情報が記憶されていない場合、および応答電話機情報が一致しない場合は、次の記憶領域について同様の処理を行う。なお、一致した件数が既定値（例えば、２０件）に達した場合には処理を終了する。
【００５３】
他応答着信履歴表示制御手段Ｆ４２は、他応答履歴判定手段Ｆ４１より一致の通知を受けると、対応する発信者情報と時刻情報を記憶部１６の着信履歴記憶手段Ｆ３５より読み取り、着信履歴表示情報に編集しデータ送受信手段Ｆ３３へ他ＴＥＬ履歴の操作を行ったボタン電話機２０のＬＣＤ表示器２９へ着信履歴表示の可視表示情報の送出を通知する。
【００５４】
全着信履歴表示制御手段Ｆ４３は、受信分析手段Ｆ３６より全着信履歴の通知を受けると、発信者情報と時刻情報と応答電話機情報（記憶されている場合のみ。）を記憶部１６の着信履歴記憶手段Ｆ３５より読み取り着信履歴表示情報に編集し、データ送受信手段Ｆ３３へ全着信履歴の操作を行ったボタン電話機２０のＬＣＤ表示器２９へ着信履歴表示の可視表示情報の送出を通知する。
【００５５】
次に、図３を用いて、ボタン電話主装置１０の記憶部１６内の着信履歴記憶手段Ｆ３５への着信履歴の記憶の処理を説明する。図３は、外線着信制御手段Ｆ３４が外線回路制御手段Ｆ３０より途中放棄の通知を受けた（図３の左側の開始）ところと、受信分析手段Ｆ３６より外線着信応答の通知を受けた（図３の右側の開始）ところから開始している。なお、図３から図７において、各ステップの順番は一例を示すものであり、要旨を変更しない範囲で任意に入れ替えても良い。
【００５６】
まず、途中放棄の通知を受けた場合は、不応答履歴となるため応答電話機情報の編集データ（編集データとは、着信履歴記憶手段Ｆ３５へ記憶するための前段階として処理の中で一時的に使用しているデータをいう。以下、同じ。）をクリアし（Ｓ５０）、ステップＳ５１へ引き継ぐ。また、外線着信応答の通知を受けた場合は、応答履歴となるため外線着信に応答したボタン電話機２０の内線番号を応答電話機情報として編集データを作成し（Ｓ６０）、ステップＳ５１へ引き継ぐ。
【００５７】
ステップＳ５１では、外線着信制御手段Ｆ３４で一時記録しておいた発信者電話番号および発信者名称を発信者情報として編集データを作成する。次に、時刻取得手段Ｆ３１より取得した年月日時刻を時刻情報として編集データを作成し（Ｓ５２）、ステップＳ５３へ引き継ぐ。
【００５８】
ステップＳ５３では、着信履歴記憶手段Ｆ３５の最新位置ポインタを“＋１”しステップＳ５４へ引き継ぐ。最新位置ポインタとは、図３の右上段に記載した［着信履歴記憶手段の構成例］に示すように、着信履歴記憶手段Ｆ３５は、着信履歴の記憶領域として１〜ｎ（ｎは内線数見合いで任意に設定して良い、内線数が１０台程度であればｎ＝５００件程度が目安となる。）を確保しており、最新の着信履歴が記憶された領域の位置を示すメモリ／カウンタである。なお、この最新位置ポインタは、１件目から順次“＋”されてゆき、ｎ件目まで到達すると次は、再度１件目に戻るように構成する。
【００５９】
ステップＳ５４とＳ５５では、前述した最新位置ポインタの戻し処理を行っている。すなわち、ステップＳ５３で“＋１”された最新位置ポインタの値を判定し、値が“ｎ＋１”になった場合（ステップＳ５４でＹｅｓ）は着信履歴の記憶領域を超えることになるため、最新位置ポインタの値を“１”にセットし（Ｓ５５）、ステップＳ５７へ引き継ぐ。最新位置ポインタの値が“ｎ＋１”にならない場合（ステップＳ５４でＮｏ）は、そのままステップＳ５７へ引き継ぐ。
【００６０】
ステップＳ５７では、最新位置ポインタに対応した記憶領域に、応答電話機情報、発信者情報、および時刻情報を書き込む。次に、途中放棄の通知からの起動かの判定を行う（Ｓ５８）。途中放棄からの起動の場合（Ｙｅｓ）は、外線着信停止処理（公知）を行い（Ｓ５９）処理を終了する。
【００６１】
ステップＳ５８の判定で途中放棄の通知からの起動ではない場合（Ｎｏ）は、外線着信停止処理を行い（Ｓ６１）、次に外線着信応答処理（公知）を行い（Ｓ６２）処理を終了する。
【００６２】
次に、図４を用いてボタン電話主装置１０の中央制御部１１内の自己応答履歴判定手段Ｆ３７と自己着信履歴表示制御手段Ｆ３８の処理を説明する。図４は、受信分析手段Ｆ３６よりマイ着信履歴の通知を受けたところから開始している。まず、着信履歴記憶手段Ｆ３５の最新位置ポインタの値を取得し、演算用に一時記憶（以下、演算値ともいう。）しておく（Ｓ７０）。
【００６３】
次に、演算値が示す着信履歴記憶手段Ｆ３５の応答電話機情報を参照し、表示要求操作（マイ着信履歴）を行ったボタン電話機２０の電話機情報と一致するか否かの判定を行う（Ｓ７１）。一致しなかった場合（Ｎｏ）はステップＳ７３へ引き継ぐ。一致した場合（Ｙｅｓ）は、対応する着信履歴情報（発信者情報、時刻情報）を順次一時記憶し（Ｓ７２）、ステップＳ７３へ引き継ぐ。
【００６４】
ステップＳ７３では、演算値を“マイナス１”する。これは、最新の着信履歴から順次古い着信履歴を参照していくための処理である。次に、“マイナス１”した結果、演算値が“０”になったか否かの判定を行う（Ｓ７４）。“０”にならなかった場合（Ｎｏ）はステップＳ７６へ引き継ぐ。“０”になった場合（Ｙｅｓ）は演算値をｎにセットし（Ｓ７５）、ステップＳ７６へ引き継ぐ。
【００６５】
ステップＳ７６では、演算値と最新位置ポインタの値が一致するか否かの判定を行う。これは、着信履歴記憶手段Ｆ３５の記憶領域を全て参照したかの判定を行うための処理である。一致した場合（Ｙｅｓ）はステップＳ７９へ引き継ぐ。一致しなかった場合（Ｎｏ）は、演算値を一時記憶し（Ｓ７７）、ステップＳ７８へ引き継ぐ。
【００６６】
ステップＳ７８では、ステップＳ７２で順次一時記憶した着信履歴情報が既定値（例えば、２０件）に達したかの判定を行う。既定値に達した場合（Ｙｅｓ）はステップＳ７９へ引き継ぐ。既定値に達しない場合（Ｎｏ）は、ステップＳ７１へ引継、同様の処理を繰り返す。
【００６７】
ステップＳ７９では、ステップＳ７２で順次一時記憶した着信履歴情報をボタン電話機２０のＬＣＤ表示器２９へ表示できるように加工し、データ送受信手段Ｆ３３へ通知し処理を終了する。
【００６８】
次に、図５を用いてボタン電話主装置１０の中央制御部１１内の不応答履歴判定手段Ｆ３９と不応答着信履歴表示制御手段Ｆ４０の処理を説明する。図５は、受信分析手段Ｆ３６より不応答履歴の通知を受けたところから開始している。まず、着信履歴記憶手段Ｆ３５の最新位置ポインタの値を取得し、演算用に一時記憶（以下、演算値ともいう。）しておく（Ｓ８０）。
【００６９】
次に、演算値が示す着信履歴記憶手段Ｆ３５の応答電話機情報を参照し、応答電話機情報が記憶されているか否かの判定を行う（Ｓ８１）。記憶されている場合（Ｙｅｓ）はステップＳ８３へ引き継ぐ。記憶されていない場合（Ｎｏ）は、対応する着信履歴情報（発信者情報、時刻情報）を順次一時記憶し（Ｓ８２）、ステップＳ８３へ引き継ぐ。
【００７０】
ステップＳ８３では、演算値を“マイナス１”する。これは、最新の着信履歴から順次古い着信履歴を参照していくための処理である。次に、“マイナス１”した結果、演算値が“０”になったか否かの判定を行う（Ｓ８４）。“０”にならなかった場合（Ｎｏ）はステップＳ８６へ引き継ぐ。“０”になった場合（Ｙｅｓ）は演算値を“ｎ”にセットし（Ｓ８５）、ステップＳ８６へ引き継ぐ。
【００７１】
ステップＳ８６では、演算値と最新位置ポインタの値が一致するか否かの判定を行う。これは、着信履歴記憶手段Ｆ３５の記憶領域を全て参照したかの判定を行うための処理である。一致した場合（Ｙｅｓ）はステップＳ８９へ引き継ぐ。一致しなかった場合（Ｎｏ）は、演算値を一時記憶し（Ｓ８７）、ステップＳ８８へ引き継ぐ。
【００７２】
ステップＳ８８では、ステップＳ８２で順次一時記憶した着信履歴情報が既定値（例えば、４０件）に達したかの判定を行う。既定値に達した場合（Ｙｅｓ）はステップＳ８９へ引き継ぐ。既定値に達しない場合（Ｎｏ）は、ステップＳ８１へ引継、同様の処理を繰り返す。
【００７３】
ステップＳ８９では、ステップＳ８２で順次一時記憶した着信履歴情報をボタン電話機２０のＬＣＤ表示器２９へ表示できるように加工し、データ送受信手段Ｆ３３へ通知し処理を終了する。
【００７４】
次に、図６を用いてボタン電話主装置１０の中央制御部１１内の他応答履歴判定手段Ｆ４１と他応答着信履歴表示制御手段Ｆ４２の処理を説明する。図６は、受信分析手段Ｆ３６より他ＴＥＬ履歴の通知を受けたところから開始している。まず、着信履歴記憶手段Ｆ３５の最新位置ポインタの値を取得し、演算用に一時記憶（以下、演算値ともいう。）しておく（Ｓ９０）。
【００７５】
次に、演算値が示す着信履歴記憶手段Ｆ３５の応答電話機情報を参照し、他ＴＥＬ履歴で指定されたボタン電話機２０の電話機情報と一致するか否かの判定を行う（Ｓ９１）。一致しなかった場合（Ｎｏ）はステップＳ９３へ引き継ぐ。一致した場合（Ｙｅｓ）は、対応する着信履歴情報（発信者情報、時刻情報）を順次一時記憶し（Ｓ９２）、ステップＳ９３へ引き継ぐ。
【００７６】
ステップＳ９３では、演算値を“マイナス１”する。これは、最新の着信履歴から順次古い着信履歴を参照していくための処理である。次に、“マイナス１”した結果、演算値が“０”になったか否かの判定を行う（Ｓ９４）。“０”にならなかった場合（Ｎｏ）はステップＳ９６へ引き継ぐ。“０”になった場合（Ｙｅｓ）は演算値を“ｎ”にセットし（Ｓ９５）、ステップＳ９６へ引き継ぐ。
【００７７】
ステップＳ９６では、演算値と最新位置ポインタの値が一致するか否かの判定を行う。これは、着信履歴記憶手段Ｆ３５の記憶領域を全て参照したかの判定を行うための処理である。一致した場合（Ｙｅｓ）はステップＳ９９へ引き継ぐ。一致しなかった場合（Ｎｏ）は、演算値を一時記憶し（Ｓ９７）、ステップＳ９８へ引き継ぐ。
【００７８】
ステップＳ９８では、ステップＳ９２で順次一時記憶した着信履歴情報が既定値（例えば、２０件）に達したかの判定を行う。既定値に達した場合（Ｙｅｓ）はステップＳ９９へ引き継ぐ。既定値に達しない場合（Ｎｏ）は、ステップＳ９１へ引継、同様の処理を繰り返す。
【００７９】
ステップＳ９９では、ステップＳ９２で順次一時記憶した着信履歴情報を表示要求操作を行ったボタン電話機２０のＬＣＤ表示器２９へ表示できるように加工し、データ送受信手段Ｆ３３へ通知し処理を終了する。
【００８０】
次に、図７を用いてボタン電話主装置１０の中央制御部１１内の全着信履歴表示制御手段Ｆ４３の処理を説明する。図７は、受信分析手段Ｆ３６より全着信履歴の通知を受けたところから開始している。まず、着信履歴記憶手段Ｆ３５の最新位置ポインタの値を取得し、演算用に一時記憶（以下、演算値ともいう。）しておく（Ｓ１００）。
【００８１】
次に、演算値が示す着信履歴記憶手段Ｆ３５の着信履歴情報を参照し、対応する着信履歴情報（発信者情報、時刻情報、応答電話機情報）を順次一時記憶し（Ｓ１０１）、ステップＳ１０２へ引き継ぐ。
【００８２】
ステップＳ１０２では、演算値を“マイナス１”する。これは、最新の着信履歴から順次古い着信履歴を参照していくための処理である。次に、“マイナス１”した結果、演算値が“０”になったか否かの判定を行う（Ｓ１０３）。“０”にならなかった場合（Ｎｏ）はステップＳ１０５へ引き継ぐ。“０”になった場合（Ｙｅｓ）は演算値を“ｎ”にセットし（Ｓ１０４）、ステップＳ１０５へ引き継ぐ。
【００８３】
ステップＳ１０５では、演算値と最新位置ポインタの値が一致するか否かの判定を行う。これは、着信履歴記憶手段Ｆ３５の記憶領域を全て参照したかの判定を行うための処理である。一致した場合（Ｙｅｓ）はステップＳ１０８へ引き継ぐ。一致しなかった場合（Ｎｏ）は、演算値を一時記憶し（Ｓ１０６）、ステップＳ１０７へ引き継ぐ。
【００８４】
ステップＳ１０７では、ステップＳ１０１で順次一時記憶した着信履歴情報が既定値（例えば、２００件）に達したかの判定を行う。既定値に達した場合（Ｙｅｓ）はステップＳ１０８へ引き継ぐ。既定値に達しない場合（Ｎｏ）は、ステップＳ１０１へ引継、同様の処理を繰り返す。
【００８５】
ステップＳ１０８では、ステップＳ１０１で順次一時記憶した着信履歴情報をボタン電話機２０のＬＣＤ表示器２９へ表示できるように加工し、データ送受信手段Ｆ３３へ通知し処理を終了する。
【００８６】
なお、ステップＳ１０８で「順次一時記憶した着信履歴情報をボタン電話機２０のＬＣＤ表示器２９へ表示できるように加工し」とは、ＬＣＤ表示器２９が同時に何行分の表示が出来る構成にしているかによって異なり、例えば、同時に５行分の表示ができる構成とした場合、データ送受信手段Ｆ３３へ通知するのは、着信履歴情報のうち最初の５行分を通知するとの意味である。６行目以降の着信履歴情報は、図示していないが、ボタン電話機２０より次情報の表示操作が行われたときに通知する構成としている。（図４のステップＳ７９、図５のステップＳ８９、図６のステップＳ９９も同じ。）
【図面の簡単な説明】
【００８７】
【図１】本発明に係るボタン電話主装置１０と、ボタン電話機２０の構成概略図。
【図２】本発明に係る中央制御部１１と、記憶部１６の機能ブロック図。
【図３】本発明に係るボタン電話主装置１０の記憶部１６内の着信履歴記憶手段Ｆ３５への着信履歴の記憶処理のフローチャート。
【図４】本発明に係るボタン電話主装置１０の中央制御部１１内の自己応答履歴判定手段Ｆ３７と自己着信履歴表示制御手段Ｆ３８における処理のフローチャート。
【図５】本発明に係るボタン電話主装置１０の中央制御部１１内の不応答履歴判定手段Ｆ３９と不応答着信履歴表示制御手段Ｆ４０における処理のフローチャート。
【図６】本発明に係るボタン電話主装置１０の中央制御部１１内の他応答履歴判定手段Ｆ４１と他応答着信履歴表示制御手段Ｆ４２における処理のフローチャート。
【図７】本発明に係るボタン電話主装置１０の中央制御部１１内の全着信履歴表示制御手段Ｆ４３における処理のフローチャート。
【符号の説明】
【００８８】
１０  ボタン電話主装置
１１  中央制御部
１２  通話路スイッチ
１３  外線回路
１４  リアルタイムクロック
１５  内線回路
１６  記憶部
２０  ボタン電話機
２１  制御部
２２  データ送受信回路
２３  音声処理部
２４  送受話器
２５  スピーカ
２６  ダイヤルキー
２７  外線キー
２８  機能キー
２９  ＬＣＤ表示器
Ｆ３０  外線回路制御手段
Ｆ３１  時刻取得手段
Ｆ３２  通話路制御手段
Ｆ３３  データ送受信手段
Ｆ３４  外線着信制御手段
Ｆ３５  着信履歴記憶手段
Ｆ３６  受信分析手段
Ｆ３７  自己応答履歴判定手段
Ｆ３８  自己着信履歴表示制御手段
Ｆ３９  不応答履歴判定手段
Ｆ４０  不応答着信履歴表示制御手段
Ｆ４１  他応答履歴判定手段
Ｆ４２  他応答着信履歴表示制御手段
Ｆ４３  全着信履歴表示制御手段
【図１】
2006025318.tif 000003
【図２】
2006025318.tif 000004
【図３】
2006025318.tif 000005
【図４】
2006025318.tif 000006
【図５】
2006025318.tif 000007
【図６】
2006025318.tif 000008
【図７】
2006025318.tif 000009